(57)【特許請求の範囲】
【請求項１】
便器の便座を昇降させる便座昇降装置であって、
前記便器の左右の床面に設置される脚部と、
前記脚部から前記便器の両側に１本ずつ立設される柱部と、
前記便座を昇降させる便座昇降機構部と、
前記柱部に前記便座昇降機構部を固定する昇降機構固定部と、
前記柱部に対する前記昇降機構固定部の固定位置を調整する固定位置調整手段と、
を備え、
前記柱部は、前記弁座昇降機構部を固定するためのネジ孔を有し、
前記ネジ孔の開口は、前記便器の前後方向における前方側を向くように配置され、
前記便座昇降機構部は、前記柱部に対して前記便器の前方側から取付られることを特徴とする便座昇降装置。
【請求項２】
前記固定位置調整手段は、
前記柱部、及び、前記昇降機構固定部の何れか一方に形成される係合突起部と、
前記柱部、及び、前記昇降機構固定部の何れか他方において、高さ方向に複数形成され、前記係合突起部が挿し込まれる挿し込み孔と、
を備えたことを特徴とする請求項１に記載の便座昇降装置。
【請求項３】
前記固定位置調整手段は、
前記柱部、及び、前記昇降機構固定部の何れか一方に形成されるアジャスターボルトと、
前記柱部、及び、前記昇降機構固定部の何れか他方に形成され、前記アジャスターボルトの頭部を受けるボルト受け部と、
を備えたことを特徴とする請求項１に記載の便座昇降装置。
【発明の詳細な説明】
【技術分野】
【０００１】
本発明は、身体障害者や高齢者などが洋式便器を使用する際の肉体的負担を軽減するために用いられる便座昇降装置に関する。
【背景技術】
【０００２】
身体障害者や高齢者などが洋式便器を使用する場合、便座に腰を下ろしたり、便座から立ち上がったりする際の肉体的負担は大きなものとなっている。そこで、このような肉体的負担を軽減するため、電動力を用いて便座を昇降させる機能を有する便座昇降装置が開発されている。従来の便座昇降装置においては、便座を昇降させるための駆動機構として様々な方式が採用されている。例えば、洋式便器の周囲に立設された脚部に四節リンク機構、及び、伸縮部材を取り付けたものがある（特許文献１参照。）。
【０００３】
また、便器の高さに合わせて便座昇降装置の高さを変えるために、脚部に便座昇降装置の高さを変更するためのレベルボルトを設けたものある（特許文献２参照。）。レベルボルトは便器を跨ぐように床面に設置される左右の固定脚を構成するフレームの下部に設けられており、左右の各フレームの前後にレベルボルトが１つずつ、合計４箇所に取り付けられている。従って、この４箇所のレベルボルトの長さを調整することで便座昇降装置の高さを調整していた。
【先行技術文献】
【特許文献】
【０００４】
【特許文献１】特開２００２−２８２１６８号公報
【特許文献２】特開２０００−０６０７６５号公報
【発明の概要】
【発明が解決しようとする課題】
【０００５】
しかし、このような便座昇降装置では、４箇所のレベルボルトをそれぞれ調整する必要があり、便座昇降装置の高さを調整するときに各レベルボルトの調整に手間が掛かるという課題があった。
【０００６】
本発明は、このような課題に鑑みてなされたものであり、便座昇降装置の高さ調整を容易に行うことができる便座昇降装置を提供することを目的とする。
【課題を解決するための手段】
【０００７】
上記課題を解決するために、第１の態様は、便器の便座を昇降させる便座昇降装置であって、前記便器の左右の床面に設置される脚部と、前記脚部から前記便器の両側に１本ずつ立設される柱部と、前記便座を昇降させる便座昇降機構部と、前記柱部に前記便座昇降機構部を固定する昇降機構固定部と、前記柱部に対する前記昇降機構固定部の固定位置を調整する固定位置調整手段と、を備えたことを特徴とする便座昇降装置である。
【０００８】
脚部において便座昇降部の高さを調整する場合には、床面との高さ調整が必要になるため、少なくとも３箇所以上での調整が必要となる。
しかしながら、このような構成によれば、固定位置調整手段によって便器の両側に１本ずつ立設される柱部に対して昇降機構固定部の固定位置を調整することで、便座昇降機構部の高さを調整することができる。つまり、固定位置調整手段は、２本の柱部に対してそれぞれ１箇所ずつ、合計２箇所の昇降機構固定部の固定位置を調整することで、便座昇降機構部の高さを調整することができる。そのため、便座昇降機構部の高さを調整するときに調整する箇所を少なくすることができ、便座昇降装置の高さ調整を容易に行うことができる。
【０００９】
また、第２の態様は、第１の態様において、前記固定位置調整手段は、前記柱部、及び、前記昇降機構固定部の何れか一方に形成される係合突起部と、前記柱部、及び、前記昇降機構固定部の何れか他方において、高さ方向に複数形成され、前記係合突起部が挿し込まれる挿し込み孔と、を備えたことを特徴とする便座昇降装置である。
【００１０】
このような構成によれば、固定位置調整手段は係合突起部を挿し込む挿し込み孔の位置を変えることで昇降機構固定部の高さを変えるができるので、便座昇降機構部の高さ調整を容易に行うことができる。
【００１１】
また、第３の態様は、第１の態様において、前記固定位置調整手段は、前記柱部、及び、前記昇降機構固定部の何れか一方に形成されるアジャスターボルトと、前記柱部、及び、前記昇降機構固定部の何れか他方に形成され、前記アジャスターボルトの頭部を受けるボルト受け部と、を備えたことを特徴とする便座昇降装置である。
【００１２】
このような構成によれば、固定位置調整手段はアジャスターボルトを回転させることによって昇降機構固定部の高さを変えることができるので、便座昇降装置を便器の高さに合わせて、便座昇降機構部の高さを細かく調整することができる。
【発明の効果】
【００１３】
本発明によれば、便座昇降装置の高さ調整を容易に行うことができる便座昇降装置を提供することができる
【図面の簡単な説明】
【００１４】
【図１】第１実施形態の便座昇降装置を設置した状態を示す斜視図である。
【図２】第１実施形態の便座昇降装置のカバーを取り付けた状態を示す斜視図である。
【図３】（ａ）は、第１実施形態の便座昇降装置において、便座昇降機構部を降ろした状態を示す側面図である。（ｂ）は、便座昇降機構部を上げた状態を示す側面図である。
【図４】第１実施形態の固定位置調整手段を示す斜視図である。
【図５】（ａ）は、第１実施形態の便座昇降装置において、固定位置調整手段によって昇降機構部を上側に取り付けた状態を示す側面図である。（ｂ）は、第１実施係の便座昇降装置において、固定位置調整手段によって昇降機構部を下側に取り付けた状態を示す側面図である。
【図６】第２実施形態の便座昇降装置を設置した状態を示す斜視図である。
【図７】第２実施形態における昇降機構固定部の拡大図である。
【発明を実施するための形態】
【００１５】
以下、添付図面を参照しながら本発明の実施の形態について説明する。説明の理解を容易にするため、各図面において同一の構成要素に対しては可能な限り同一の符号を付して、重複する説明は省略する。
【００１６】
＜第１実施形態＞
図１は第１実施形態の便座昇降装置２０を水洗大便器１０に設置した状態を示す斜視図である。図２は第１実施形態の便座昇降装置２０の昇降機構部４０にカバー４８を取り付けた状態を示す斜視図である。
【００１７】
＜１．便座昇降装置の説明＞
図１に示すように、第１実施形態の便座昇降装置２０は水洗大便器１０の便座１４を昇降させるため、水洗大便器１０に装着して使用するものであり、便座昇降装置２０はフレーム３０、便座昇降機構部４０、及び、便座昇降機構部４０をフレーム３０に取り付ける昇降機構部５０から構成されている。
【００１８】
フレーム３０は、水洗大便器１０の左右の床面に設置される脚部３２、脚部３２から水洗大便器１０の両側に１本ずつ立設けられる柱部３４、及び、手すり部３６を備えている。そして、このフレーム３０の柱部３４に、便座１４を昇降させる便座昇降機構部４０が、昇降機構固定部５０を介して取り付けられている。
【００１９】
便座昇降機構部４０は、便座１４を設置する便座設置部４２、便座設置部４２と昇降機構固定部５０を連結するリンク機構４６、及び、一端が便座設置部４２に他端が昇降機構固定部５０に連結され、電動力により伸縮することで便座設置部４２を昇降させる伸縮駆動体４４を備えている。
【００２０】
また、図１においては、説明のため便座昇降機構部４０、及び、昇降機構固定部５０が露出しているが、実際に第１実施形態の便座昇降装置２０が設置される際には、図２に示すように、便座昇降機構部４０、及び、昇降機構固定部５０はカバー４８によって覆われ、使用者が接触しないように隠されている。
【００２１】
また、第１実施形態の便座昇降装置２０は伸縮駆動体４４の動作を制御する制御装置２２を備えている。制御装置２２はコントローラ２４を備えており、使用者によるコントローラ２４の操作に応じて、伸縮駆動体４４を駆動し、便座昇降機構部４０の昇降を制御する。制御装置２２と、コントローラ２４、及び、伸縮駆動体４４は図示しないケーブルなどによって接続されている。
【００２２】
また、図１に示すように、第１実施形態の便座昇降装置２０は、水洗大便器２０の左右両側に、脚部３２、柱部３４、伸縮駆動体４４等を配置している。
【００２３】
＜２．昇降動作の説明＞
続いて、図３を用いて第１実施形態の便座昇降装置２０における、昇降動作について説明する。図３（ａ）は第１実施形態の便座昇降装置２０において、便座昇降機構部４０を降ろした状態を示す側面図であり、図３（ｂ）は便座昇降機構部４０を上げた状態を示す側面図である。
【００２４】
図３（ａ）に示すように、便座昇降機構部４０が降りている状態では、水洗大便器１０に便座１４が設置された状態となり、使用者は便座１４に腰かけて水洗大便器１０を使用することができる。そして、水洗大便器１０から立ち上がる際には、コントローラ２４を操作し、便座１４を上昇させる。
【００２５】
このとき、コントローラ２４の操作に応じて制御装置２２が伸縮駆動体４４を制御し、伸縮駆動体４４が伸長する。すると、図３（ｂ）に示すように、便座設置部４２に設置されている便座１４が上昇するため、便座１４に腰かけていた使用者が立ち上がるのを補助することができる。また、使用者は立ち上がる際に、柱部３４に設けられた手すり３６を掴んでも良い。
【００２６】
＜３．固定位置調整手段の説明＞
続いて、図４、図５を用いて第１実施形態の便座昇降装置２０における、昇降機構固定部５０の固定位置を調整する固定位置調整手段７０について説明する。図４は、第１実施形態の便座昇降装置２０において、便座昇降機構部４０を柱部３４から取り外した状態を示す斜視図である。図５（ａ）は固定位置調整手段７０によって、柱部３４に対する便座昇降機構部４０固定位置を高くして固定した状態を示す側面図であり、（ｂ）は柱部３４ｂに対する便座昇降機構部４０の固定位置を低くして固定した状態を示す側面図である。
【００２７】
図４に示すように、便座昇降機構部４０は昇降機構固定部５０を介して柱部３４に固定されている。柱部３４にはナット３４ａが一体に設けられており、ボルト５６を、昇降機構固定部５０に形成された長孔５２を通して、ナット３４ａに固定することで便座昇降機構部４０を柱部３４に固定することができる。
【００２８】
また、柱部３４には係合突起部３４ｂが一体に設けられており、昇降機構固定部５０には係合突起部３４ｂが挿し込まれる挿し込み孔５４が柱部３４の高さ方向に複数形成されている。そのため、係合突起部３４ｂを挿し込む挿し込み孔５４を変えることで、図５に示すように、柱部３４に対する昇降機構固定部５０の固定位置を調整することができる。
また、昇降機構固定部５０に設けられている長孔５２は、係合突起部３４ｂを最上端に形成される挿し込み孔５４に挿し込んだときのナット３４ｂの位置から、係合突起部３４ｂを最下端に形成される挿し込み孔５４に挿し込んだ時のナット３４ｂの位置までを連結するように設けられている。そのため、昇降機構固定部５０の固定位置を調整したとしても、昇降機構固定部５０の長孔５２を通して、ナット３４ａにボルト５６を固定することができるので、固定位置調整手段７０によって固定位置を調整した昇降機構固定部５０を柱部３４に固定することができる。
従って、第１実施形態の便座昇降装置２０においては、柱部３４に形成される係合突起部３４ｂ、及び、昇降機構固定部５０に形成される挿し込み孔５４によって固定位置調整手段７０が構成されている。
【００２９】
このように、第１実施形態の便座昇降装置２０では、水洗大便器１０の左右両側に１本ずつ立設されている柱部３４にそれぞれ１箇所ずつ、合計２箇所に形成されている係合突起部３４ｂを挿し込む挿し込み孔５４の位置を変更することで便座昇降機構部４０高さ方向の位置を調整することができる。そのため、便座昇降機構部４０の高さ方向の位置を調整する箇所を少なくすることができ、便座昇降装置の高さ調整を容易に行うことができる。
【００３０】
また、固定位置調整手段７０である係合突起部３４ｂ、及び、挿し込み孔５４によって、柱部３４に対する昇降機構固定部５０の固定位置を調整することができるため、脚部には便座昇降機構部４０の高さを調整する機構を設けなくても良い。そのため、脚部３２に取り付けられる部品点数を少なくすることができ、脚部３２周囲の清掃性を良くすることができる。また、便座昇降装置２０の製造コストを低くすることができる。
【００３１】
また、第１実施形態の固定位置調整手段７０では、係合突起部３４ｂを挿し込む挿し込み孔５４の位置を変えることで昇降機構固定部５０の高さを変えることができるので、便座昇降機構部の高さ調整を容易に行うことができる。
【００３２】
＜第２実施形態＞
続いて、本発明の第２実施形態について図６、及び、図７を用いて説明する。図６は第２実施形態の便座昇降装置２０を設置した状態を示す斜視図である。図７は第２実施形態における昇降機構固定部６０の拡大図である。
【００３３】
第２実施形態の便座昇降装置２０では、固定位置調整手段７０が柱部３４に設けられたボルト受け部６６と、昇降機構固定部６０に設けられたアジャスターボルト６４によって構成されている。
第２実施形態の便座昇降装置２０における固定位置調整手段７０では、図６、図７に示すように、柱部３４に設けられたボルト受け部６６にアジャスターボルト６４の頭部を乗せる。アジャスターボルト６４は昇降機構固定部６０と螺合されており、且つ、アジャスターボルト６４の頭部がボルト受け部６６に載せられているため、アジャスターボルト６４を回転させると、アジャスターボルト６４と螺合されている昇降機構固定部６０が柱部３４の高さ方向に沿って上下するので、便座昇降機構部４０の高さ方向の位置を調整することができる。
【００３４】
このように、第２実施形態の便座昇降装置２０では、固定位置調整手段７０はアジャスターボルト６４を回転させることによって、昇降機構固定部６０の高さを変えることができる。また、アジャスターボルト６４の回転量を調整することで、高さを細かく変えることができるので、便座昇降機構部４０の高さを水洗大便器１０の高さに合わせて細かく調整することができる。
【００３５】
＜変形例＞
以上、本願の開示する技術の実施形態について説明したが、本願の開示する技術は上記に限定されるものではない。
【００３６】
例えば、図４において、係合突起部３４ｂは柱部３４に形成され、挿し込み孔５４は昇降機構固定部５０に形成されると説明したが、本発明の便座昇降装置２０における固定位置調整手段７０はこれに限定されるものではなく、例えば、係合突起部３４ｂが昇降機構固定部５０に形成され、挿し込み孔５４が柱部３４に形成されていてもよい。
【００３７】
また、図６、図７において、ボルト受け部６６は柱部３４に設けられ、アジャスターボルト６４は昇降機構固定部６０に設けられると説明したが、本発明の便座昇降装置２０における固定位置調整手段７０はこれに限定されるものではなく、例えば、ボルト受け部６６が昇降機構固定部６０に設けられ、アジャスターボルト６４が柱部３４に設けられていてもよい。
【００３８】
前述した各実施形態が備える各要素は、技術的に可能な限りにおいて組み合わせることができ、これらを組み合わせたものも本発明の特徴を含む限り本発明の範囲に包含される。
【符号の説明】
【００３９】
１０：洋式便器
１４：便座
２０：昇降便座装置
２２：制御装置
２４：コントローラ
３０：フレーム
３２：脚部
３４：柱部
３４ａ：ナット
３４ｂ：係合突起部
３６：手すり
４０：便座昇降機構部
４２：便座設置部
４４：伸縮駆動体
４６：リンク機構
４８：カバー
５０：昇降機構固定部
５２：長孔
５４：挿し込み孔
５６：ボルト
６０：昇降機構固定部
６２：長孔
６４：アジャスターボルト
６６：ボルト受け部
７０：固定位置調整手段
【図１】
0006447956.tif 000002
【図２】
0006447956.tif 000003
【図３】
0006447956.tif 000004
【図４】
0006447956.tif 000005
【図５】
0006447956.tif 000006
【図６】
0006447956.tif 000007
【図７】
0006447956.tif 000008